(57)【特許請求の範囲】
【請求項１】
屋根の野地板先端部より小屋裏に通ずる空気通路を屋根の一部に設け、かつ該空気通路の所定位置に熱によって膨張する不燃性体積膨張材を内蔵させて構成し、凹部底面を有する換気用の略逆ハット型広子舞を前記屋根の野地板先端部に取付固定することによって、該略逆ハット型広子舞の凹部底面と屋根材との間に前記空気通路を形成したことを特徴とした小屋裏の換気構造。
【請求項２】
前記略逆ハット型広子舞の凹部底面の両側に夫々の換気孔を設けると共に、片側の換気孔を小屋裏に露出し、かつ他側の換気孔を外気に露出し、さらに前記熱によって膨張する不燃性体積膨張材を両側の換気孔の間に配置して構成したことを特徴とした請求項１の小屋裏の換気構造。
【請求項３】
前記略逆ハット型広子舞の片側縁に水切り部を一体的に突設して構成した請求項２の小屋裏の換気構造。
【発明の詳細な説明】
【０００１】
【発明の属する利用分野】
本発明は防火式の小屋裏の換気構造に係り、特に屋根の野地板先端部より小屋裏にかけて空気通路を設けると共に、該空気通路の所定位置に熱によって膨張する不燃性体積膨張材を設けて構成した構造が簡単な小屋裏の換気構造に関するものである。
【０００２】
【従来の技術】
従来の小屋裏の換気構造としては、例えば特開平６−１０８５９８号公報（第１公知技術）に示す如く、屋根の野地板と家内側断熱材との間に空気通路を形成し、この空気通路を利用して軒裏から通気を取り入れる技術が開発されている。
【０００３】
然るに、この技術に於ては防火上の考慮が全くされていないので、火災が発生した際には、空気通路を介して小屋裏に火炎や熱気が侵入し、建物が容易に燃焼してしまう問題があった。
【０００４】
前述の従来の問題点を改善するために、特開平８−８６０２８号公報（第２公知技術）、特開平９−１７７１９８号公報（第３公知技術）、或は本件特許出願人が開発して実用化している図４に示すような第４公知技術が知られている。
【０００５】
前記第２公知技術は、開孔が設けられた板材部とこれを覆うように一体的に配置された防火覆い部とよりなる断面略筒状の通気部材を形成し、この通気部材を軒先の鼻隠し部或は軒天井部またはその両方に取付け、更に前記通気部材の内周面に熱発泡性耐火塗料を塗布して構成した技術である。
【０００６】
前記第３公知技術は、軒先瓦と野地板との間に通気部を形成して軒先瓦の下で換気するようにした軒先通気構造に於て、前記通気部内に火災時に膨張し得る加熱膨張材を配置して構成した軒先通気の防火構造である。
【０００７】
前記第４公知技術は、図４に示す如く、屋根瓦５１、アスファルトフェルト５２、野地板５３、たるき５４、該野地板５３の先端部に被覆された広子舞カバー５５及び水切り５６等よりなる屋根と、鼻隠し板下地５７及び鼻隠し板５８と、軒天井板５９と、建物の外壁下地６０等によって囲まれた小屋裏６１に於て、該外壁下地６０と軒天井板５９との間に通路６２を設け、かつこの通路６２に沿って、上下面に換気穴６３を夫々設けた金属製筒状換気装置６４を装置し、この金属製筒状換気装置６４の内部所定位置に熱によって膨張する不燃性体積膨張材６５を取付けた構造である。図中６６は外壁、６７は雨樋である。
【０００８】
【発明が解決しようとする課題】
然るに、前述の第２公知技術に於ては、構造が複雑な防火覆い部と筒状の通気部材を別に構成し、この通気部材を鼻隠し部或は軒天井部上部或は軒天井部またはその両方に取付けなければならないので、換気構造が複雑になると共に、組込作業に手間取りコスト高になる問題があった。
【０００９】
前述の第３公知技術は、軒先瓦と野地板との先端所定部分に通気部を形成し、その通気部に波板状に積層された加熱膨張体を挿入しなければならず、通気部の形成が複雑であり、更に野地板の先端は、別部材の金属製広子舞で被覆しなければ防火構造とすることが出来ない問題があった。
【００１０】
前述の第４公知技術は、前記第２公知技術と同様に、上下面に換気穴６３を夫々設け、かつその内部に不燃性体積膨張材６５を内蔵させた特殊な構造の筒状換気装置６４を、壁下地６０と軒天井板５９との間に形成された通路６２に装着しなければならないので、構造が複雑であり、コストが高くなる問題があった。
【００１１】
本発明に係る小屋裏の換気構造は、前述の従来の問題点に鑑み開発された全く新しい発明であって、特に屋根の野地板の先端部より小屋裏に通ずる空気通路を屋根の一部に設け、この空気通路内に不燃性体積膨張材を設けて構成した全く新しい換気構造の技術を提供するものである。
【００１２】
【課題を解決するための手段】
本発明に係る小屋裏の換気構造は、前述の従来の問題点を根本的に改善した発明であって、その第１発明の要旨は、屋根の野地板先端部より小屋裏に通ずる空気通路を屋根の一部に設け、かつ該空気通路の所定位置に熱によって膨張する不燃性体積膨張材を内蔵させて構成し、凹部底面を有する換気用の略逆ハット型広子舞を前記屋根の野地板先端部に取付固定することによって、該略逆ハット型広子舞の凹部底面と屋根材との間に前記空気通路を形成したことを特徴とした小屋裏の換気構造である。
【００１３】
前記第１発明に於ては、屋根の野地板の先端部に小屋裏に通ずる空気通路を屋根の一部として構成したので、従来の如く、軒先の小屋裏を形成する鼻隠し板と屋板との接合部、または軒天井板と壁との接合部に特殊な加工を施して空気通路を構成する作業を全く不要とすることが出来る。
【００１４】
従って、屋根を構成する際に、軒先の小屋裏の構成とは関係なく、屋根の一部に空気通路を極めて簡単な構造で組立構成することが出来る。
【００１５】
また、屋根の野地板の先端部に取付けられる防火用の広子舞を凹部底面を持った略逆ハット型に形成したので、この略逆ハット型広子舞を瓦等の屋根材の裏面に取付けることによって、この広子舞と屋根材との間に凹部底面よりなる空気通路を自動的に形成することが出来る。
【００１６】
本発明に係る小屋裏の換気構造の第２発明の要旨は、前記略逆ハット型広子舞の凹部底面の両側に夫々の換気孔を設けると共に、片側の換気孔を小屋裏に露出し、かつ他側の換気孔を外気に露出し、さらに前記熱によって膨張する不燃性体積膨張材を両側の換気孔の間に配置して構成したことを特徴とした第１発明の小屋裏の換気構造である。
【００１７】
前記第２発明に於ては、前記略逆ハット型広子舞の凹部底面両側に換気孔を設け、該片側の換気孔を小屋裏に露出し、かつ他側の換気孔を外気に露出して構成したので、小屋裏から外気に通ずる空気通路を簡単に構成することが出来る。
【００１８】
また、略逆ハット型広子舞の凹部底面に設けられた両方の換気孔の間に不燃性体積膨張材を配置したので、この不燃性体積膨張材が火災等によって熱膨張した場合には、この不燃性体積膨張材によって両側の換気孔の間の空気通路を閉鎖することが出来る。
【００１９】
本発明に係る小屋裏の換気構造の第３発明の要旨は、前記略逆ハット型広子舞の片側縁に水切り部を一体的に突設して構成した第２発明の小屋裏の換気構造である。
【００２０】
前記第３発明に於ては、前述のように略逆ハット型広子舞の片側縁に水切り部を一体的に取付けて構成したので、従来の如く、屋根の組立構成に当って、広子舞とは別に水切り部材を屋根の先端に取付ける作業を全く不要とすることが出来る。
【００２１】
【発明の実施の形態】
本発明に係る小屋裏の換気構造の一実施例を図によって具体的に説明すると、図１は本発明に係る小屋裏の換気構造の要部を示す縦断面説明図、図２は図１の小屋裏の換気構造に使用される略逆ハット型広子舞の斜視説明図、図３は図１に示す小屋裏の換気構造の空気通路が閉鎖される状態を示す要部の縦断面図である。
【００２２】
図１乃至図３に於て、１は軒先の小屋裏であって、屋根２、鼻隠し３、軒先天井４及び建物の壁５より構成されている。
【００２３】
前記屋根２は屋根瓦６、アスファルトフェルト７、野地板８及び換気用の略逆ハット型広子舞９より構成されている。この略逆ハット型広子舞９は、特に図２に示す如く、中央部に溝状の凹部底面９ａを有し、その凹部底面９ａの片側に水切り部９ｂ、他側に野地板８に取付ける際に使用される平板状の取付部９ｃが一体的に連設されて構成されている。
【００２４】
前記略逆ハット型広子舞９の凹部底面９ａの両側には所定の間隔を保って複数の換気孔１０、１１が２列状に穿設されている。この２列の換気孔１０、１１が設けられた間の凹部底面９ａの内底面には熱によって膨張する帯状の不燃性体積膨張材１２が取付けられている。
【００２５】
次に、屋根２の先端部の構成について詳述すると次の通りである。即ち、本発明に於ては、屋根瓦６の下面に設けられた野地板８の先端部が巾広く切除され、その部分に前述の略逆ハット型広子舞９が嵌入され、かつこの略逆ハット型広子舞９は、これの側方に穿設された取付部９ｃを野地板８上に重ねると共に、ビス１３で取付部９ｃを野地板８に固定することによって取付け固定されている。
【００２６】
本発明に係る屋根２は、前述のように、野地板８の先端部を巾広く切除し、かつこの場所に巾広の前述のような構造を有する略逆ハット型広子舞９を取付けることによって、屋根２を防火構造とすると共に、略逆ハット型広子舞９の凹部底面９ａと屋根瓦６との間に空気通路１４を自動的に形成することが出来る。また、この空気通路１４は、前記略逆ハット型広子舞９の凹部底面９ａに設けた換気孔１０、１１によって通気し得るように構成されている。
【００２７】
前記鼻隠し３は、鼻隠し板１５及び鼻隠し板下地１６より形成されている。建物の壁５は壁下地材１７及び外壁材１８等より形成されている。図中１９はたる木、２０は野縁、２１はコーキング材、２２は雨樋である。
【００２８】
小屋裏１の通気構造を構成するに当っては、鼻隠し３の上端部を略逆ハット型広子舞９の下面であって、かつ両側に設けられた換気孔１０、１１の間に当接して固定することによって構成することが出来る。即ち前記空気通路１４及び換気孔１０、１１を介して小屋裏１を建物の外方に通気せしめることが出来る。
【００２９】
本発明に於ては、前述の如く、略逆ハット型広子舞９の凹部底面９ａの所定位置に予め不燃性体積膨張材１２が取付られているので、火災が発して空気通路１４の温度が一定の温度以上に達した場合には、特に図３に示す如く、この不燃性体積膨張材１２が膨張して空気通路１４の一部を閉鎖し、これによって、火炎、熱気等が空気通路１４内の奥深く及び小屋裏１内に侵入することを防止することが出来る。
【００３０】
【発明の効果】
本発明に係る小屋裏の換気構造は、前述の如き構造を有しているので、小屋裏に通ずる空気通路を小屋裏の構成とは関係なく屋根の一部として簡単に組立構成することが出来る。
【００３１】
屋根の野地板の先端部に凹部底面を有する防火用の略逆ハット型広子舞を取付けた場合には、該略広子舞と屋根材との間に凹部底面よりなる空気通路を自動的に形成することが出来る。
【００３２】
かつ、略逆ハット型広子舞の凹部底面の両側に換気孔を設け、かつこれ等の換気孔を小屋裏側或は外気側に露出することによって、小屋裏側と外気側とを相互に通気することが出来る。
【００３３】
また、略逆ハット型広子舞の凹部底面には不燃性体積膨張材が予め取付けられているので、火災等が発生した場合には、この不燃性体積膨張材が膨張して空気通路を閉鎖し、火炎や熱気が空気通路を通過することを防止出来る。
【００３４】
更に、略逆ハット型広子舞の片側縁に水切り部を一体的に取付けて構成した場合には、広子舞とは別に水切り部材を屋根の先端に設ける必要がなく、作業を簡単にすると共に、コストを削減することが出来る。
【図面の簡単な説明】
【図１】  本発明に係る小屋裏の換気構造の要部を示す縦断面説明図である。
【図２】  図１の小屋裏の換気構造に使用される略逆ハット型広子舞の斜視説明図である。
【図３】  図１に示す小屋裏の換気構造の空気通路が閉鎖される状態を示す要部の縦断面図である。
【図４】  従来例を示す小屋裏の換気構造の要部を示す縦断面説明図である。
【符号の説明】
１ …小屋裏
２ …屋根
３ …鼻隠し
４ …軒先天井
５ …壁
６ …屋根瓦
７ …アスファルトフェルト
８ …野地板
９ …略逆ハット型広子舞
９ａ …凹部底面
９ｂ …水切り部
９ｃ …取付部
１０ …換気孔
１１ …換気孔
１２ …不燃性体積膨張材
１３ …ビス
１４ …空気通路
１５ …鼻隠し板
１６ …鼻隠し板下地
１７ …壁下地材
１８ …外壁材
１９ …たる木
２０ …野縁
２１ …コーキング材
２２ …雨樋
５１ …屋根瓦
５２ …アスファルトフェルト
５３ …野地板
５４ …たるき
５５ …広子舞カバー
５６ …水切り
５７ …鼻隠し板下地
５８ …鼻隠し板
５９ …軒天井板
６０ …外壁下地
６１ …小屋裏
６２ …通路
６３ …換気穴
６４ …金属製筒状換気装置
６５ …不燃性体積膨張材
６６ …外壁
６７ …雨樋
【図１】
0004363608.tif 000002
【図２】
0004363608.tif 000003
【図３】
0004363608.tif 000004
【図４】
0004363608.tif 000005